(57)【要約】      （修正有）【課題】可搬性を有すると共に、簡単かつ精度良く測定作業を行うことができるバッテリ測定装置を提供する。【解決手段】バッテリに接続されたバッテリ側コネクタに接続される装置側コネクタと、装置側コネクタを介して、バッテリの内部抵抗を測定する測定部８と、測定部８の測定結果を表示するディスプレイ３と、測定部８の測定結果を記憶するハードディスク１２と、ユーザの操作を受け付けるキーボード４（無線マウス１０）と、キーボード４（無線マウス１０）による操作により、測定部８、ディスプレイ３、ハードディスク１２を制御するＣＰＵ９とを有する。【選択図】図４
0003181103.tif 000002
【実用新案登録請求の範囲】
【請求項１】
バッテリが設置された箇所に搬送して、前記バッテリの内部抵抗を測定するバッテリ測定装置であって、
前記バッテリに接続されたバッテリ側コネクタに接続される装置側コネクタと、
前記装置側コネクタを介して、前記バッテリの内部抵抗を測定する測定部と、
前記測定部の測定結果を表示する表示出力部と、
前記測定部の測定結果を記憶する記憶部と、
ユーザの操作を受け付ける操作入力部と、
前記操作入力部による操作により、前記測定部、前記表示出力部、前記記憶部を制御する制御部とを有することを特徴とするバッテリ測定装置。
【請求項２】
前記制御部は、
前記記憶部に記憶された前記測定部の測定結果を、一覧表示するように前記表示出力部を制御する請求項１記載のバッテリ測定装置。
【請求項３】
前記制御部は、
前記記憶部に記憶された前記測定部の測定結果を、時系列により表示するように前記表示出力部を制御する請求項１又は２記載のバッテリ測定装置。
【請求項４】
請求項１から３のいずれか一項に記載のバッテリ測定装置と、
前記測定部により測定された測定結果のデータを記憶するバッテリ監視サーバ側記憶部を有するバッテリ監視サーバを備え、
前記バッテリ測定装置は、前記測定部により測定された測定結果のデータを前記バッテリ監視サーバに出力するデータ出力部を有し、
前記バッテリ監視サーバは、前記データ出力部から出力された測定結果のデータを前記バッテリ監視サーバ側記憶部に記憶してバッテリを監視することを特徴とするバッテリ監視システム。
【考案の詳細な説明】
【技術分野】
【０００１】
本考案は、バッテリの内部抵抗を測定するバッテリ測定装置及び当該バッテリ測定装置を備えたバッテリ監視システムに関する。
【背景技術】
【０００２】
従来より、バッテリの内部抵抗を測定してバッテリの劣化を判断するバッテリ測定装置としては、例えば、特許文献１に記載のものが知られている。また、商用電源の事故に対応する補助電源では、バッテリ測定装置を組み込み、バッテリの劣化を監視する装置が提供されている。
【先行技術文献】
【特許文献】
【０００３】
【特許文献１】特許第４３７２６２４号公報
【考案の概要】
【考案が解決しようとする課題】
【０００４】
ところで、バッテリ測定装置を補助電源に組み込む場合は、システムの構成が複雑化、大型化する問題がある。これにより、携帯して簡易かつ精度良く補助電源を構成するバッテリの内部抵抗を測定可能な装置の提供が望まれる。
【０００５】
本考案は、可搬性を有すると共に、簡単かつ精度良く測定作業を行うことができるバッテリ測定装置及びバッテリ測定装置を備えたバッテリ監視システムを目的とする。
【課題を解決するための手段】
【０００６】
（１）バッテリが設置された箇所に搬送して、前記バッテリの内部抵抗を測定するバッテリ測定装置であって、前記バッテリに接続されたバッテリ側コネクタに接続される装置側コネクタと、前記装置側コネクタを介して、前記バッテリの内部抵抗を測定する測定部と、前記測定部の測定結果を表示する表示出力部と、前記測定部の測定結果を記憶する記憶部と、ユーザの操作を受け付ける操作入力部と、前記操作入力部による操作により、前記測定部、前記表示出力部、前記記憶部を制御する制御部とを有することを特徴とする。
【０００７】
（１）のバッテリ測定装置は、装置側コネクタをバッテリ側コネクタに接続するだけで、バッテリの端子への煩雑な接続作業がないために、簡単に測定作業を行うことができる。
【０００８】
また、（１）のバッテリ測定装置は、装置側コネクタにより対応するバッテリ側コネクタとの接続を行うことでバッテリと接続する。このため、（１）のバッテリ測定装置においては、バッテリ端子への接続を行った場合に比べて安定した接続が可能になることで、接続に起因する測定誤差を抑えることができる。
【０００９】
また、（１）のバッテリ測定装置は、可搬性を有するために、バッテリが複数点在する場合に、バッテリに対応して、バッテリ測定装置を設けなくてもよい。
【００１０】
（２）前記制御部は、前記記憶部に記憶された前記測定部の測定結果を、一覧により表示する。
【００１１】
（２）のバッテリ測定装置は、測定結果を、一覧表示するために、ユーザは測定結果を把握しやすくなる。
【００１２】
（３）前記制御部は、前記記憶部に記憶された前記測定部の測定結果を、時系列により表示する。
【００１３】
（３）のバッテリ測定装置は、測定結果を、時系列により表示するために、ユーザは過去から現在に至るまでの測定結果の変遷を把握することができる。
【００１４】
（４）バッテリ監視システムは、（１）から（３）のいずれかに記載のバッテリ測定装置と、前記測定部により測定された測定結果のデータを記憶するバッテリ監視サーバ側記憶部を有するバッテリ監視サーバを備え、前記バッテリ測定装置は、前記測定部により測定された測定結果のデータを前記バッテリ監視サーバに出力するデータ出力部を有し、前記バッテリ監視サーバは、前記データ出力部から出力された測定結果のデータを前記バッテリ監視サーバ側記憶部に記憶してバッテリを監視することを特徴とする。
【００１５】
（４）のバッテリ監視システムは、バッテリ測定装置により測定された測定結果をバッテリ監視サーバに集約できるために、バッテリの管理を一元的に行うことができ、バッテリの劣化等を監視することができる。
【考案の効果】
【００１６】
本考案によれば、可搬性を有すると共に、簡単かつ精度良く測定作業を行うことができる。
【図面の簡単な説明】
【００１７】
【図１】本考案のバッテリ測定装置の外観を示す図である。
【図２】バッテリ測定装置のバッテリの測定状態を示す外観図である。
【図３】各種コネクタを示す外観図である。
【図４】バッテリ測定装置の機能を示す機能ブロック図である。
【図５】ディスプレイに表示される履歴グラフの一例を示す模式図である。
【図６】バッテリ測定に係るバッテリ測定装置の動作の流れを示すフローチャートである。
【図７】測定結果データの表示例を示す模式図である。
【図８】第２実施形態におけるバッテリ側コネクタのバッテリとの取り付け部分の構造を示す模式図である。
【図９】第３実施形態のバッテリ監視システムの概要を示すシステム構成図である。
【図１０】バッテリ測定装置の変形例を示す図である。
【考案を実施するための形態】
【００１８】
以下、本考案の実施形態について、図を参照しながら説明する。
＜第１実施形態＞
本実施形態のバッテリ測定装置１について図１を用いて説明する。図１は、本考案のバッテリ測定装置１の外観を示す図である。詳細には、図１（ａ）は、バッテリ測定装置１の非使用状態を示す外観図であり、図１（ｂ）は、バッテリ測定装置１の使用状態にした外観図である。
【００１９】
本実施形態のバッテリ測定装置１は、バッテリ１００の劣化や寿命等の判断に供することができる測定対象のバッテリ１００の内部抵抗を測定可能に構成される。
【００２０】
また、バッテリ測定装置１は、図１（ａ）に示すような非使用状態と、図１（ｂ）に示すような使用状態とに形態を変化させることができる。
バッテリ測定装置１の非使用状態とは、本装置の持ち運びや保管等を行うバッテリ１００の測定を行わないときの状態である。バッテリ測定装置１は、非使用状態となることで、図１（ａ）に示すように、ケース２だけが露出した状態となり、内部の機器が露出状態とならず、風雨や粉塵等に内部の機器が晒されることがない。
一方、バッテリ測定装置１の使用状態とは、バッテリ１００の測定を行う状態である。バッテリ測定装置１は、使用状態となることで、図１（ｂ）に示すように、ユーザの測定作業に必要な最低限の構成（ディスプレイ３（表示出力部）やキーボード４（操作入力部））がユーザにより操作可能な露出状態となり、バッテリ１００の測定を行うことができる。
【００２１】
ケース２は、図１（ａ）及び図１（ｂ）に示すように、矩形形状の上ケース２Ａと、当該上ケース２Ａに対応した下ケース２Ｂとを備える。
上ケース２Ａと下ケース２Ｂとは、例えば、衝撃等を考慮してジュラルミン材により形成されており、互いに折り畳み可能に連結される。
また、本実施形態において、バッテリ測定装置１は、測定によるノイズを考慮して、バッテリ１００の測定を行う測定部位側（後述する選択部７及び後述する測定部８）と、測定指示や測定結果の解析等を行う解析部位側（後述するＣＰＵ９乃至通信部１３）とが別の筐体内に格納されるように構成される。
さらに、測定によるノイズを考慮して、測定部位を格納する下ケース２Ｂは、鉄板により周囲が覆われる。
また、バッテリ測定装置１は、測定部位と解析部位とを別にすることで、解析部位をノートＰＣ等の既存の装置で構成することができる上に、測定部位と解析部位とをそれぞれ分けて扱うことができるためにメンテナンス性能も向上させることができる。
【００２２】
また、バッテリ測定装置１には、持ち運び時や保管時のケース２の展開を防止するために、ロックＬが設けられる。
また、バッテリ測定装置１には、持ち運びの際の持ち手となるようにハンドルＨが下ケース２Ｂに設けられる。
【００２３】
このように構成されるバッテリ測定装置１は、図２に示すように、バッテリ測定装置１を展開させて使用状態に形態を変化させ、バッテリ１００に接続されるバッテリ側コネクタ５に、バッテリ測定装置１から引き出される装置側コネクタ６を接続することにより、測定可能な状態となる。
【００２４】
ここで、本実施形態におけるバッテリ測定装置１が測定するバッテリ１００について説明する。
本実施形態においてバッテリ測定装置１に測定されるバッテリ１００は、例えば、ＥＴＣ（Ｅｌｅｃｔｒｏｎｉｃ  Ｔｏｌｌ  Ｃｏｌｌｅｃｔｉｏｎ：電子料金収受）システムを利用した高速道路のゲートの停電時の駆動に用いられる非常用のバッテリである。
このバッテリ１００（測定対象バッテリ）は、ゲートの駆動で要求される電圧を複数のバッテリ全体で出力できるように、複数のバッテリ１００が直列接続されて１つのユニットとして構成されている。
これらのバッテリ１００は、例えば、出力電圧が２Ｖの場合には、２４個のバッテリ１００が直列的に接続されて４８Ｖの電圧を出力する１つのユニットが形成される。また出力電圧が６Ｖの場合には、４０又は６０個のバッテリ１００が直列的に接続されて２４０Ｖ又は３６０Ｖの電圧を出力する１つのユニットが形成され、出力電圧が１２Ｖの場合には、２０、２５又は３０個の直列的に接続されて２４０Ｖ、３００Ｖ又は３６０Ｖの電圧を出力する１つのユニットが形成される。本実施形態においては、出力電圧が６Ｖの場合であって４０個のバッテリ１００が１つのユニットとして使用されている例について説明する。つまり、バッテリ測定装置１は、４０個のバッテリ１００について、各バッテリ１００の内部抵抗を測定する。
なお、測定対象となるバッテリ１００は、上述した例に限られず、単体のバッテリ１００であっても、複数のバッテリ１００がそれぞれ別に運用されているものであってもよい。また、バッテリ１００は、本実施形態においては二次電池としてするが、一次電池でもよい。
【００２５】
バッテリ測定装置１による測定を行うバッテリ１００には、それぞれにバッテリ側コネクタ５が専用に取り付けられている。
バッテリ側コネクタ５は、バッテリ１００の端子１０１、１０１（陽極端子及び陰極端子）から、装置側コネクタ６と接続することにより、バッテリ測定装置１での内部抵抗の測定を可能にする。また、バッテリ側コネクタ５は、バッテリ１００の端子１０１、１０１に常時接点していることにより、バッテリ１００との接続を、例えば、クリップ等で行うような測定装置に比べて、測定に際して、接続作業を行う必要がない。このため、バッテリ測定装置１においては、測定作業の手間が省かれると共に、接続部分が固定されている状態となり、接触抵抗のばらつきによる測定誤差がなく安定した測定を行うことができる。
【００２６】
次に、各コネクタ（バッテリ側コネクタ５、装置側コネクタ６）について、図３を用いて説明する。図３は、各コネクタを示す外観図である。
【００２７】
まず、バッテリ側コネクタ５について図３（ａ）を用いて説明する。図３（ａ）は、バッテリ側コネクタ５を示す外観図である。
バッテリ側コネクタ５は、一端側にＯリング５１と、他端側にコネクタ部５２と、Ｏリング５１とコネクタ部５２とをつなぐケーブル５３と、を有する。本実施形態においては、バッテリ側コネクタ５は、全てのバッテリ１００と接続するように構成される。
【００２８】
Ｏリング５１は、Ｏ字形状の端子であり、取り付けられるバッテリ１００の端子１０１（陽極端子及び陰極端子）に対応して１対設けられると共に、複数のバッテリ１００に取り付け可能に複数個がそれぞれ対に設けられる。本実施形態においては、１つのバッテリ側コネクタ５が全てのバッテリ１００に取り付け可能に構成される。
また、Ｏリング５１は、例えば、ビス等により、バッテリ１００の端子１０１に固定状態で取り付けられる。
測定においては、このＯリング５１により、安定的にバッテリ１００に接続することができ、測定誤差の発生を抑えることができる。なお、本実施形態においては、端子１０１との接続部分をＯリング５１により固定する例として説明したがこれに限られず、固定状態でバッテリ１００との接続が可能であればよく、例えば、コ字形状の端子でもよい。
【００２９】
コネクタ部５２は、装置側コネクタ６のバッテリ側コネクタ部６１と雌雄の関係となるように対応して形成されている。
したがって、バッテリ測定装置１においては、バッテリ側コネクタ５と装置側コネクタ６とを接続するだけで、簡単にバッテリ１００容量が測定可能な状態となるために、測定作業の作業性が向上する。
また、バッテリ測定装置１においては、複数のバッテリ１００を選択的に測定することができるために、バッテリ１００ごとに測定に係る端子の取り付けの必要がないため、測定に係る作業性が向上する。
また、バッテリ測定装置１においては、Ｏリング５１がバッテリ１００の端子１０１に固定状態で取り付けられているために、取り付け状態が安定し、結果として、測定時の接点に起因する測定誤差が生じない。
【００３０】
また、Ｏリング５１とコネクタ部５２との間には、各バッテリ１００に対応してそれぞれ所定の電流の負荷に供する信号用及び出力インピーダンス及び電圧の測定に供する測定用のケーブル５３が設けられている。
また、Ｏリング５１とコネクタ部５２との間には、ヒューズ部５４が設けられている。このヒューズ部５４は、測定時に、バッテリから異常な電圧がバッテリ側コネクタ５の側にかかった場合に、バッテリ側コネクタ５と接続されるバッテリ測定装置１に異常な電圧等がかかって故障してしまうことがないように、バッテリ側コネクタ５の時点で、内部のヒューズが溶断して異常な電圧等をカットするように構成される。
【００３１】
次に、装置側コネクタ６について図３（ｂ）を用いて説明する。図３（ｂ）は、装置側コネクタ６を示す外観図である。
【００３２】
装置側コネクタ６は、ケーブル６２の一端にはバッテリ側コネクタ部６１と、他端には装置側コネクタ部６３が設けられている。
バッテリ側コネクタ部６１は、バッテリ側コネクタ５のコネクタ部５２と雌雄の関係となるように対応して形成される。
また、装置側コネクタ部６３は、後述する選択部７及び後述する測定部８と接続する。
ケーブル６２は、バッテリ側コネクタ５のケーブル５３と同様に、信号用及び測定用のケーブルにより構成される。
【００３３】
このように構成されるバッテリ１００とバッテリ測定装置１とは、図２に示すように、バッテリ側コネクタ５が取り付けられる複数のバッテリ１００（本実施形態においては、図２に示すように、４個のバッテリ１００）のうち１つのバッテリ１００を選択して測定を行う。このように構成されるバッテリ測定装置１では、バッテリ個々に接続作業を行う場合、８回の接続作業を要するところを、２回の接続作業で測定を行うことができ、測定に係る作業効率を高めることができる。
【００３４】
次に、バッテリ測定装置１の機能的構成について図４を用いて説明する。図４は、バッテリ測定装置１の機能を示す機能ブロック図である。
【００３５】
バッテリ測定装置１は、図４に示すように、上述した装置側コネクタ６と、ケース２内には、選択部７と、測定部８と、ＣＰＵ９（制御部）と、キーボード４（操作入力部）と、無線マウス１０（操作入力部）、ディスプレイ３（表示出力部）と、メモリ１１と、ハードディスク１２（記憶部）と、通信部１３（データ出力部）と、電源ユニット１４，１４’と、を備える。このようなバッテリ測定装置１では、非使用時には装置側コネクタ６を取り外しておき、使用時に取り付けるように構成される。
【００３６】
選択部７は、装置側コネクタ６及びＣＰＵ９に接続され、バッテリ側コネクタ５が取り付けられる複数のバッテリ１００と接続し、バッテリ１００の出力インピーダンスを測定部８により測定するために、測定部８とバッテリ１００との接続を行い、全てのバッテリ１００を測定する。
【００３７】
測定部８は、装置側コネクタ６及びＣＰＵ９に接続され、選択部７により選択された１つのバッテリ１００の内部抵抗として出力インピーダンス及び電圧を測定する。
バッテリ１００の出力インピーダンスの測定は、電源ユニット１４を介して取得した商用電源からの交流電流をバッテリ１００に負荷した際の出力インピーダンス値を測定する、いわゆる、ＡＣ（交流）電流方式により行う。なお、出力インピーダンスの測定においては、ＡＣ電流方式に限られず、直流電流方式により行ってもよい。
【００３８】
バッテリ１００においては、使用によって化学反応が繰り返し行われることでその反応が鈍くなり、容量が低下し、内部抵抗が増加する性質がある。つまり、内部抵抗が低い状態では劣化の程度は小さく、寿命が長い状態となるが、内部抵抗が高い状態となると、劣化の程度は大きく、寿命が短い状態となる。したがって、バッテリ１００の使用の判断を内部抵抗により行うことが可能となる。
【００３９】
したがって、バッテリ測定装置１においては、内部抵抗（出力インピーダンス）を測定するために、バッテリ１００の劣化の判断を行うことができる。
【００４０】
ＣＰＵ９（Ｃｅｎｔｒａｌ  Ｐｒｏｃｅｓｓｉｎｇ  Ｕｎｉｔ：中央演算処理装置）は、選択部７、測定部８、キーボード４、無線マウス１０、ディスプレイ３、メモリ１１、ハードディスク１２、通信部１３及び電源ユニット１４に接続され、各部を制御可能に構成される。
【００４１】
キーボード４は、例えば、測定されるバッテリ１００に対応するデータの格納番号（チェック番号）の入力や測定指示等のユーザの操作を入力する。
無線マウス１０は、無線で操作可能なポインティングデバイスであり、例えば、チェック番号の入力や測定指示等のユーザの操作を入力する。
【００４２】
ディスプレイ３は、例えば、ＬＣＤ（Ｌｉｑｕｉｄ  Ｃｒｙｓｔａｌ  Ｄｉｓｐｌａｙ：液晶ディスプレイ）等で構成され、例えば、データの表示等を行う。
【００４３】
メモリ１１は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等で構成され、装置の動作に係るＣＰＵ９での処理命令等を記憶する。
【００４４】
ハードディスク１２は、例えば、バッテリ１００の状態の判断に用いる基準データ、測定部８により測定されたバッテリ１００の測定結果データ、後述する履歴グラフデータ等の各種データを記憶する。
【００４５】
通信部１３は、ネットワークを介して、無線又は有線の通信が可能に構成され、例えば、ハードディスク１２に記憶される各種データの入出力を行う。
【００４６】
電源ユニット１４，１４’は、商用電源からバッテリ測定装置１に電力を供給する。具体的には、電源ユニット１４は、測定部位側（選択部７及び測定部８）へ交流電圧を商用電源から供給する。電源ユニット１４’は、解析部位（ＣＰＵ９乃至通信部１３）へ交流電圧を商用電源から供給する。
【００４７】
このように構成されるバッテリ測定装置１は、バッテリ１００の測定に際して、バッテリ側コネクタ５に装置側コネクタ６を接続することで測定可能な状態となる。
そして、キーボード４や無線マウス１０を操作して、接続されるバッテリ１００から１つのバッテリ１００を測定対象として選択する。また、この測定対象のバッテリ１００を特定する設置箇所、ユニット番号等の情報を入力する。
さらに、キーボード４や無線マウス１０を操作して、測定を開始することで、測定対象に選択したバッテリ１００の出力インピーダンス値を測定する。
測定された結果（出力インピーダンス値）は、ハードディスク１２に記憶される。
その後、ディスプレイ３には、今回測定した測定結果と共に、過去の測定結果が時系列で表示される。具体的には、ディスプレイ３には、例えば、後述する履歴グラフを表示する。
【００４８】
このようにバッテリ測定装置１を構成することにより、バッテリ１００の劣化等の判断に供する内部抵抗（出力インピーダンス値）を１つの装置だけで測定が完結することができる。
また、バッテリ測定装置１は、折り畳み可能なケース２内に測定用の機器類が収容されているために、バッテリ１００の周囲に据え置く必要なく、携帯して持ち運ぶことができる。このために、バッテリ測定装置１は、バッテリ１００に対応した数の装置を設ける必要がなく、コストを低く抑えることができる。
【００４９】
ここで、ディスプレイ３に表示される履歴グラフについて図５を用いて説明する。図５は、ディスプレイ３に表示される履歴グラフの一例を示す模式図である。
【００５０】
履歴グラフは、本実施形態においては、例えば、図５に示すように、チェック番号に対応するバッテリ１００ごとに表示され、縦軸に出力インピーダンス値（Ω）、横軸に時間（Ｔ）を取ったグラフとして表示される。
この履歴グラフには、測定を行った日時と、測定結果が時系列で表示された折れ線グラフとして表示される。このように履歴グラフを構成することにより、ユーザは、直感的に内部抵抗値の変化を認識することができる。
【００５１】
また、この履歴グラフには、バッテリ１００の劣化が進み交換が必要な状態（交換）及び異常な状態（異常）となる境界線に線が表示される。このように履歴グラフを構成することにより、ユーザは、直感的にバッテリ１００がどのような状態にあるのかを認識することができる。この際、例えば、正常な状態では青色で表示し、交換が必要な状態では黄色で表示し、異常な状態では赤色で表示する等状態に応じて表示を異ならせるようにしてもよい。ユーザは、さらに、バッテリ１００の状態認識を直感的に行うことができる。
【００５２】
次に、バッテリ１００測定に係るバッテリ測定装置１の動作の流れについて図６を用いて説明する。図６は、バッテリ１００の測定に係るバッテリ測定装置１の動作の流れを示すフローチャートである。測定に際して、ユーザは、測定対象のバッテリ１００と接続するバッテリ側コネクタ５のコネクタ部５２に、装置側コネクタ６のバッテリ側コネクタ部６１を接続する。その後、バッテリ測定装置１において以下の処理が行われる。なお、以下の各処理は、一例に過ぎず、使用状態や操作性等を考慮して種々変更等が可能である。
【００５３】
ステップＳ１において、ＣＰＵ９は、測定開始操作を検出する。ＣＰＵ９は、ユーザにより、キーボード４や無線マウス１０へ所定の操作がされることにより、測定開始操作を検出する。具体的には、測定開始操作は、後に詳述する図７に示す表示画面から行う。
図７の例では、ユーザは、ＭＳＮのプルダウンメニューから測定するセル数を選択する。本例では、セル番号３０までのセルが測定対象なるメニューを選択している（ＢＣＭＳ３０（１９２．１６８．１．４６，４６００））。
そして、ユーザは、ＢＣＭＳの欄に所定の値を入力することでセル電圧を選択する。本例では、ＢＣＭＳの欄には１の値が入力される。また、本例では、ＢＣＭＳの欄に１を入力することで、１２Ｖのセル電圧を選択され、２を入力することで、２Ｖのセル電圧を選択される。
その後、ユーザにより照会等のボタンをクリックする等の操作がなされることで、測定が開始される。
【００５４】
ステップＳ２において、測定部８は、測定を開始する。詳細には、測定部８は、ＣＰＵ９により、バッテリ１００の測定を行うように制御される。
【００５５】
ステップＳ３において、ハードディスク１２は、バッテリ１００を特定する情報と共に、測定結果データを保存・表示する。
詳細には、ハードディスク１２は、ＣＰＵ９により、測定結果を入力されたチェック番号に対応する場所に保存する。
また、ディスプレイ３には、図７に示すような測定結果データが表示される。
図７の例では、測定したセル番号に対応するように電圧値が一覧で表示される。具体的には、今回の測定では、セル番号１乃至３０のセルが測定対象となっており、当該セル番号に対応して電圧の欄に電圧値が表示されている。また、測定回数の欄に測定した回数（今回の例では、１回）や測定周期の欄に測定の周期（今回の例では、３秒）等も表示される。
さらに、後述するステップＳ５の処理が内部的に完了すると、当該表示画面から、履歴のグラフへと画面を遷移させることができる。
なお、図７は、測定結果データの表示例を示す模式図である。
【００５６】
ステップＳ４において、ＣＰＵ９は、測定対象のバッテリ１００の判定を行う。詳細には、ＣＰＵ９は、測定結果データに基づいて、測定対象のバッテリ１００が使用可能な状態か、使用不可な状態か、異常な状態かの判定を、ハードディスク１２に記憶される基準データとの差分により判定する。
【００５７】
ステップＳ５において、ＣＰＵ９は、履歴グラフを作成する。詳細には、ＣＰＵ９は、ハードディスク１２に記憶されるチェック番号に対応したデータを、過去のデータを含め時系列で示し、さらに、ステップＳ６に基づいた判定結果と共に一覧表示可能な、例えば、図５に示すような履歴グラフのデータを作成する。その後、作成された履歴グラフのデータは、チェック番号に対応付けられてハードディスク１２に保存される。
【００５８】
ステップＳ６において、ディスプレイ３は、履歴グラフの表示を行う。詳細には、ディスプレイ３は、ＣＰＵ９により、ハードディスク１２に記憶される履歴グラフのデータを表示するように制御される。結果として、ディスプレイ３には、例えば、図５に示すようなグラフが表示される。ユーザは、このグラフを参照してバッテリ１００の状態を過去の経緯と共に把握することができる。
【００５９】
このように動作することにより、バッテリ測定装置１は、測定対象のバッテリ１００の内部抵抗の測定を行うことができ、測定結果を表示することができる。
また、バッテリ測定装置１は、バッテリ側コネクタ５に接続される複数のバッテリ１００を順次測定することができる。
【００６０】
＜第２実施形態＞
次に、第２実施形態におけるバッテリ側コネクタについて説明する。
第１実施形態では、平置きの複数のバッテリを想定しており、取り付け等の作業スペースが確保できるため、Ｏリング状の端子部を用いて、バッテリの端子に取り付ける例を説明した。
第２実施形態では、第１実施形態の場合とは異なり、例えば、バッテリを棚等の狭所に置いて、端子部の取り付け作業スペースが確保できない場合を想定して、係る端子部の構成を変更した。
また、第２実施形態では、具体的には、特に、バッテリの端子がボルト部とナット部により構成される、いわゆる、ボルト・ナット式の亜鉛バッテリ（以下、単に「バッテリ」という。）を用いることを例として以下説明を行う。また、ボルト部は、頭部とねじ部により構成される。
【００６１】
このようなバッテリに、バッテリ側コネクタの端子部を取り付けるときには、第１実施形態のようなＯリング状の端子部を用いる。この場合には、ナット部をボルト部から取り外して、端子部のリング内部をねじ部に通過させ、上方からナット部によるボルト部への締結により、端子部を頭部とナット部との間に位置させて挟み込んで、端子部のバッテリへの接続状態を維持する。
この場合、端子部の取り付け作業にナット部を外して、さらに締結をするためにはナット部を操作するためのレンチ等の治具が必要となる。また、治具による取り付け作業の場所を確保する必要もある。
バッテリが棚等の狭所に置かれることを想定している本例では、狭所ゆえに治具による作業場所を確保できないといった問題が生じる。また、狭所である場合には、取り付け後の接続確認も行いづらく、感電等の二次的な危険性も伴ってくる問題も生じる。
【００６２】
本実施形態のバッテリ側コネクタについては、上述した問題に鑑みて、取り付け治具が不要である上に、取り付けが簡単であり、かつ、狭所での作業性も損なわずに、バッテリと端子部との接続が確実に行える構造を提供する。
【００６３】
図８は、第２実施形態におけるバッテリ側コネクタのバッテリとの取り付け部分の構造を示す模式図である。なお、図８（ａ）に示すように、バッテリ側コネクタ５が取り付けられるバッテリ（図示せず）の端子１０１は、上述したようにボルト部１０１１と、ナット部１０１２とにより構成される。また、ボルト部１０１１は、頭部１０１１ａと、ねじ部１０１１ｂとを備える。このような端子１０１においては、頭部１０１１ａと、ナット部１０１２との間に、他のバッテリとの接続を行うケーブル１０１３が取り付けられる。
【００６４】
ここで、バッテリ側コネクタ５は、図８（ａ）に示すように、端子部５５と、端子部５５に取り付けられるリード線５６と、リード線５６の端部に設けられるコネクタ部（図示せず）とを備える。
【００６５】
端子部５５は、頭部１０１１ａにナット部１０１２が締結された状態でナット部１０１２の上方からナット部１０１２の外方に取り付けられる。端子部５５が金属部材であるナット部１０１２の外方に取り付けられることで導通が取られ、バッテリの出力が端子部５５を介してリード線５６を伝わってコネクタ部に供給される。
【００６６】
また、端子部５５は、通電抵抗が低いリン青銅板（所定の剛性が必要なため厚さ０．６ｍｍ）を折り曲げて形成されており、枠体５５１と、突片５５２とを備える。
【００６７】
枠体５５１は、６角形状のナット部１０１２を外方から覆い、ナット部１０１２上での周回り方向への移動を禁止するようにナット部１０１２と同型状の６角形状に折り曲げて形成されている。
また、枠体５５１は、一面ではナット部１０１２の大きさの誤差を許容可能に変化するように開放部５５１ａが形成されており、他の面では圧着或いは半田付け等によりリード線５６が固定されている。
【００６８】
突片５５２は、枠体５５１の上面から突出するように形成されており、端子１０１への取り付け前の状態では、枠体５５１の内方側に折り曲げられている。
【００６９】
このように構成される端子部５５は、図８（ｂ）に示すように、ナット部１０１２の上方から枠体５５１の内方にねじ部１０１１ｂを通過させるように取り付ける。このように端子部５５を取り付けることにより、突片５５２がねじ部１０１１ｂに接触して、弾性変形する。
【００７０】
さらに、端子部５５を端子１０１の取り付け方向に押し込むことでナット部１０１２の外方に取り付けられる。この際、突片５５２は、枠体５５１の内方に弾性的に変形しており、変形のテンションがねじ部１０１１ｂにかかった状態となり、固定状態が維持されることとなる。
【００７１】
また、取り外し方向の上方に端子部５５を移動させようとした場合には、突片５５２がねじ部１０１１ｂに対して、移動方向に逆らうように接触しているために、取り外し方向への移動を規制することになる。
【００７２】
したがって、端子部５５は、容易に取り付けることができる上に、接続状態を常に維持して、さらに、取り外し方向への移動を規制しているために容易に取り外すことができないものとなる。
なお、端子部５５の取り外しは、突片５５２を治具で変形方向とは逆方向に移動させてねじ部１０１１ｂへの接触を解除した状態で、取り外し方向である上方に移動させることで可能となる。
【００７３】
＜第３実施形態＞
次に、第３実施形態のバッテリ監視システムＳについて図９を用いて説明する。図９は、第３実施形態のバッテリ監視システムＳの概要を示すシステム構成図である。
【００７４】
バッテリ監視システムＳは、図９に示すように、バッテリ測定装置１と、当該バッテリ測定装置１とネットワークを介して接続される監視サーバ２０とを備える。
バッテリ測定装置１は、通信部１３をＬＡＮ（Ｌｏｃａｌ  Ａｒｅａ  Ｎｅｔｗｏｒｋ）に接続させて、当該ＬＡＮを介して、監視サーバ２０と接続される。また、バッテリ測定装置１は、内部抵抗の測定結果のデータを監視サーバ２０に送信する。
【００７５】
監視サーバ２０は、図示しない監視サーバ側ＣＰＵと、図示しない監視サーバ側メモリ（監視サーバ側記憶部）と、を備える。
監視サーバ２０は、ＬＡＮに接続されており、送信されたバッテリ測定装置１からのバッテリ１００の内部抵抗の測定結果のデータを監視サーバ側メモリに記憶し、そして、データを判定しバッテリ１００の状態を逐次監視する。バッテリ１００の測定結果のデータのうち、交換が必要な状態や異常な状態であると判定された場合には、その旨を報知（出力）する。
なお、監視サーバ２０では、バッテリ測定装置１から送信されてくるデータを、データベースで管理する。
【００７６】
このように構成することで、複数のバッテリ測定装置１から送られてくる各バッテリ１００の測定結果のデータから各バッテリ１００の状態を一元的に管理して、各バッテリ１００の劣化等を監視することができる。
【００７７】
＜変形例＞
本実施形態のバッテリ測定装置１の変形例について図１０を用いて説明する。図９は、本考案のバッテリ測定装置１の変形例を示す図である。詳細には、図１０（ａ）は、バッテリ測定装置１の非使用状態を示す外観図であり、図１０（ｂ）は、バッテリ測定装置１の使用状態にした外観図である。
上述した実施形態においては、ＣＰＵ９乃至通信部１３を、選択部７及び測定部８からのノイズを考慮して、選択部７及び測定部８を鉄板により隔離して別体として構成した。本変形例では、一体性を重視して、選択部７及び測定部８と同一筐体内の下ケース２Ｂ側に、ディスプレイ３を除くＣＰＵ９乃至通信部１３を配置し、キーボード４を下ケース２Ｂの天面に露出させるように構成した。また、本変形例では、上ケース２Ａ側にディスプレイ３を配置し、キーボード４と対向する側にディスプレイ３の表示面を露出させるように構成する。
また、バッテリ測定装置１では、図１０（ａ）に示す状態から、図１０（ｂ）に示すように下ケース２Ｂ側を設置面（例えば、床面や作業台等）に置いて、上ケース２Ａを下ケース２Ｂに対して展開すれば、すぐに測定可能な状態にすることができる。
【００７８】
なお、上述の実施形態では、本考案に好適な実施形態を上述したが、本考案はその趣旨を逸脱しない範囲で、上述の実施形態に種々の変更を加えた形態等とすることができる。
【００７９】
また、上述の実施形態では、バッテリ測定装置１は、商用電源のみで駆動するように構成したがこれに限られず、構成を変更することにより商用電源に限らず、内蔵又は外部バッテリにより駆動するように構成することも可能である。
【００８０】
また、上述の実施形態では、操作入力部として、キーボード４や無線マウス１０を例示したがこれに限られない。操作入力部は、入力デバイスであればよく、例えば、出力部と操作入力部が重畳的に配置されたタッチパネル等により構成することできる。
【００８１】
また、上述の実施形態では、バッテリ１００の劣化等を判断するために用いる内部抵抗を、バッテリ１００の出力インピーダンスを測定することにより測定していたがこれに限られず、種々の測定要素から内部抵抗を測定してもよい。
【００８２】
また、上述の実施形態では、バッテリの測定をバッテリ１００ごとに測定するように構成したがこれに限られない、例えば、複数のバッテリ１００ごとに測定しても、バッテリ１００内のセルごとに測定するように構成してもよい。
【符号の説明】
【００８３】
１      バッテリ測定装置
３      ディスプレイ（表示出力部）
４      キーボード（操作入力部）
５      バッテリ側コネクタ
６      装置側コネクタ
８      測定部
９      ＣＰＵ（制御部）
１０    無線マウス（操作入力部）
１２    ハードディスク（記憶部）
１３    通信部（データ出力部）
２０    監視サーバ
１００  バッテリ
Ｓ      バッテリ監視システム
【図１】
0003181103.tif 000003
【図２】
0003181103.tif 000004
【図３】
0003181103.tif 000005
【図４】
0003181103.tif 000006
【図５】
0003181103.tif 000007
【図６】
0003181103.tif 000008
【図７】
0003181103.tif 000009
【図８】
0003181103.tif 000010
【図９】
0003181103.tif 000011
【図１０】
0003181103.tif 000012